【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
被写体を撮像して画像を生成する撮像手段と、
当該撮像装置の外装に設けられ、前記画像を表示する第１の表示手段と、
前記第１の表示手段の近傍に設けられ、ファインダを覗くことで画面を見ることができる第２の表示手段と、
前記第１の表示手段に設けられたタッチパネルと、
前記タッチパネルでタッチされた位置を判定するタッチ位置判定手段と、
当該撮像装置が被写体の画像を撮影する撮影モードに設定されている場合、前記タッチパネルの長手方向に沿って前記タッチパネルを三つの領域に分割し、この分割した三つの領域のうち両端に位置する領域の何れか一方を、撮影モードに関する撮影関連モードの指示が入力される指示入力領域として設定し、この設定した指示入力領域でタッチされた位置に応じて撮影関連モードの切換えを制御する制御手段と、
前記制御手段によって切換えられた前記撮影関連モードに対応するアイコンを第２の表示手段に表示する表示制御手段と、
を備える撮像装置。
【請求項２】
前記表示制御手段は、前記タッチ位置判定手段が前記指示入力領域の所定位置でタッチを検出した場合に、前記第２の表示手段に前記アイコンを表示する請求項１記載の撮像装置。
【請求項３】
前記制御手段は、前記撮影関連モードに切換え後、前記タッチ位置判定手段が前記指示入力領域でタッチを判定した場合、前記指示入力領域でタッチされた位置に応じて前記撮影関連モードの数値を変更し、
前記表示制御手段は、前記制御手段によって変更された前記数値を前記第２の表示手段に表示する請求項１記載の撮像装置
【請求項４】
前記表示制御手段は、前記制御手段によって設定された前記両端に位置する他方の領域に、前記撮影関連モードに対応するアイコンを前記第１の表示手段に表示する請求項１記載の撮像装置。
【請求項５】
当該撮像装置の外装に設けられ、撮像部によって生成された画像を表示する第１の表示手段と、該第１の表示手段の近傍に設けられ、ファインダを覗くことで画面を見ることができる第２の表示手段と、該第１の表示手段に設けられたタッチパネルと、該タッチパネルでタッチされた位置を判定するタッチ位置判定手段とを備えた撮像装置におけるモード切換え方法であって、
当該撮像装置が被写体画像を撮影する撮影モードに設定されている場合、前記タッチパネルの長手方向に沿って前記タッチパネルを三つの領域に分割し、この分割した三つの領域のうち両端に位置する領域のいずれか一方を、撮影モードに関する撮影関連モードの指示が入力される指示入力領域として設定する設定ステップと、
前記設定ステップによって設定された前記指示入力領域でタッチされた位置に応じて撮影関連モードを切換える切換えステップと、
前記切換えステップによって切換えられた前記撮影関連モードに対応するアイコンを前記第２の表示手段に表示する表示ステップと、
を備える撮像装置におけるモード切換え方法。
【請求項６】
前記表示ステップは、前記タッチ位置判定手段が前記指示入力領域の所定位置でタッチを検出した場合に、前記第２の表示手段に前記アイコンを表示する請求項５記載の撮像装置におけるモード切換え方法。
【請求項７】
前記切換えステップによって前記撮影関連モードに切換え後、前記タッチ位置判定手段がタッチを判定した場合、前記指示入力領域でタッチされた位置に応じて前記撮影関連モードの数値を変更する変更ステップをさらに備え、
前記表示ステップは、前記変更ステップによって変更された前記数値を前記第２の表示手段に表示する請求項５記載の撮像装置におけるモード切換え方法。
【請求項８】
前記表示ステップは、前記設定ステップによって設定された前記両端に位置する他方の領域に、前記撮影関連モードに対応するアイコンを前記第１の表示手段に表示する請求項５記載の撮像装置におけるモード切換え方法。
【手続補正２】
【補正対象書類名】明細書
【補正対象項目名】０００９
【補正方法】変更
【補正の内容】
【０００９】
請求項１記載の本発明によれば、撮像装置は被写体を撮像して画像を生成する撮像手段と、当該撮像装置の外装に設けられ、前記画像を表示する第１の表示手段と、前記第１の表示手段の近傍に設けられ、ファインダを覗くことで画面を見ることができる第２の表示手段と、前記第１の表示手段に設けられたタッチパネルと、前記タッチパネルでタッチされた位置を判定するタッチ位置判定手段と、当該撮像装置が被写体の画像を撮影する撮影モードに設定されている場合、前記タッチパネルの長手方向に沿って前記タッチパネルを三つの領域に分割し、この分割した三つの領域のうち両端に位置する領域の何れか一方を、撮影モードに関する撮影関連モードの指示が入力される指示入力領域として設定し、この設定した指示入力領域でタッチされた位置に応じて撮影関連モードの切換えを制御する制御手段と、前記制御手段によって切換えられた前記撮影関連モードに対応するアイコンを第２の表示手段に表示する表示制御手段とを備えて構成されている。
【手続補正３】
【補正対象書類名】明細書
【補正対象項目名】００１０
【補正方法】変更
【補正の内容】
【００１０】
請求項２記載の本発明によれば、前記表示制御手段は、前記タッチ位置判定手段が前記指示入力領域の所定位置でタッチを検出した場合に、前記第２の表示手段に前記アイコンを表示している。
請求項３記載の本発明によれば、前記制御手段は、前記撮影関連モードに切換え後、前記タッチ位置判定手段が前記指示入力領域でタッチを判定した場合、前記指示入力領域でタッチされた位置に応じて前記撮影関連モードの数値を変更し、前記表示制御手段は、前記制御手段によって変更された前記数値を前記第２の表示手段に表示している。
請求項４記載の本発明によれば、前記表示制御手段は、前記制御手段によって設定された前記両端に位置する他方の領域に、前記撮影関連モードに対応するアイコンを前記第１の表示手段に表示している。
【手続補正４】
【補正対象書類名】明細書
【補正対象項目名】００１１
【補正方法】変更
【補正の内容】
【００１１】
請求項５記載の本発明によれば、当該撮像装置の外装に設けられ、撮像部によって生成された画像を表示する第１の表示手段と、該第１の表示手段の近傍に設けられ、ファインダを覗くことで画面を見ることができる第２の表示手段と、該第１の表示手段に設けられたタッチパネルと、該タッチパネルでタッチされた位置を判定するタッチ位置判定手段とを備えた撮像装置におけるモード切換え方法であって、当該撮像装置が被写体画像を撮影する撮影モードに設定されている場合、前記タッチパネルの長手方向に沿って前記タッチパネルを三つの領域に分割し、この分割した三つの領域のうち両端に位置する領域のいずれか一方を、撮影モードに関する撮影関連モードの指示が入力される指示入力領域として設定する設定ステップと、前記設定ステップによって設定された前記指示入力領域でタッチされた位置に応じて撮影関連モードを切換える切換えステップと、前記切換えステップによって切換えられた前記撮影関連モードに対応するアイコンを前記第２の表示手段に表示する表示ステップとを備えて構成されている。
請求項６記載の本発明によれば、前記表示ステップは、前記タッチ位置判定手段が前記指示入力領域の所定位置でタッチを検出した場合に、前記第２の表示手段に前記アイコンを表示している。
請求項７記載の本発明によれば、前記切換えステップによって前記撮影関連モードに切換え後、前記タッチ位置判定手段がタッチを判定した場合、前記指示入力領域でタッチされた位置に応じて前記撮影関連モードの数値を変更する変更ステップをさらに備え、前記表示ステップは、前記変更ステップによって変更された前記数値を前記第２の表示手段に表示している。
請求項８記載の本発明によれば、前記表示ステップは、前記設定ステップによって設定された前記両端に位置する他方の領域に、前記撮影関連モードに対応するアイコンを前記第１の表示手段に表示している。
【手続補正５】
【補正対象書類名】明細書
【補正対象項目名】００１２
【補正方法】変更
【補正の内容】
【００１２】
請求項１記載の本発明では、ファインダを覗きながらのブラインドタッチでもモード切換えが行える。タッチパネルの中央領域を不感帯としているため、ファインダを覗きながらの撮影で鼻がタッチパネルの中央領域に触れてもモード変更に悪影響は生じない。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００９９
【補正方法】変更
【補正の内容】
【００９９】
上述した実施例は、この発明を説明するためのものであり、この発明を何等限定するものでなく、この発明の技術範囲内で変形、改造等の施されたものも全てこの発明に包含されることはいうまでもない。
たとえば、本発明では、タッチパネルのタッチなどによって、背面ディスプレイ、または、Ｆディスプレイに表示されたメニューバー、プルダウンメニューからタッチパネルのタッチなどによってモードを選択、設定しており、モード切換えが機械的なスイッチのスイッチ操作なしで可能となっている。しかしながら、十字キー、決定キー（ＯＫキー）、メニューキー、ズームキーなどの機械的なスイッチをデジタルカメラが備えて、タッチパネルのタッチなどによるモード切換えと、機械的なスイッチによるモード切換えとを選択する構成としてもよい。
実施例ではデジタルカメラとして撮像装置を具体化しているが、本発明の対象となる撮像装置はデジタルカメラに限定されず、たとえば、デジタルビデオカメラはもちろん、デジタルカメラの機能を持つ携帯電話、ノートパソコンなどのデジタルカメラ付モバイルツールなども本発明でいう撮像装置に含まれる。
【手続補正９】
【補正対象書類名】明細書
【補正対象項目名】０１００
【補正方法】変更
【補正の内容】
【０１００】
〔付記〕
本発明の実施態様により、以下のような構成の発明を得ることができる。
（１）撮影される画像が表示され、その画面表面にタッチパネルを設けた第１の表示手段と、撮影される画像が表示され、ファインダを覗くことによってその画面を見ることのできる第２の表示手段とを備えた撮像装置におけるモード切換え方法であって、
第１の表示手段、タッチパネルを横方向で左領域、中央領域、右領域に三分割してタッチパネルの中央領域を不感帯とし、
撮影に関係するモードのメニューバーを第１の表示手段の左領域にアイコンで表示し、
ファインダを覗きながら、タッチパネルの右領域でタッチパネルに指をタッチし、または、指をスライドさせることによって、メニューバーのモードを選択し、選択したモードを第２の表示手段に表示しながらモードを設定してモード変更を行う撮像装置におけるモード切換え方法。
（２）選択したモードが数値調整されるものであれば、ポイント付きのスクロールバーを第２の表示手段に表示し、タッチパネルの右領域でのスライドに対応してポイントがスクロールバー上をスクロールして調整状況が第２の表示手段に表示される上記（１）記載の撮像装置におけるモード切換え方法。
（３）メニューバーを第２の表示手段に縦列に表示し、
タッチパネルの右領域で指を上下方向に縦スライドし、スライドを止めた高さ位置に対応するモードをメニューバーから選択してそのモードのプルダウンメニューを第２の表示手段に縦列に表示し、
タッチパネルの右領域で指を端から中央方向にスライドし、この横方向のスライドの高さ位置に対応する下位モードをプルダウンメニューから設定している上記（１）記載の撮像装置におけるモード切換え方法。
（４）下位モードをプルダウンメニューから設定してから指をタッチパネルから離すとモード決定がなされ、メニューバーのアイコン表示が、設定された下位モードのアイコンとなって強調表示される上記（３）記載の撮像装置におけるモード切換え方法。
（５）タッチパネルに設けられたホームポジションをタッチすることによって、メニューバーが第２の表示手段に表示される上記（３）または（４）記載の撮像装置におけるモード切換え方法。
（６）撮影される画像が表示され、その画面表面にタッチパネルを設けた第１の表示手段と、撮影される画像が表示され、ファインダを覗くことによってその画面を見ることのできる第２の表示手段とを備えた撮像装置におけるモード切換え方法であって、
第１の表示手段、タッチパネルを横方向に横方向で左領域、中央領域、右領域に三分割してタッチパネルの中央領域を不感帯とし、
第１の表示手段の縦列のメニューバーを表示し、
ファインダを覗きながら、タッチパネルの右領域を指でタッチし、または、タッチパネルに指を触れたまま横方向に指をスライドさせてメニューバーのモードを選択して第２の表示手段に表示し、
そのモードが数値調整されるものであれば、数値調整の状況を第２の表示手段に表示し、上下方向または円を描くように指をスライドしてモードを調整、設定してモード変更を行う撮像装置におけるモード切換え方法。
（７）撮影される画像が表示され、その画面表面にタッチパネルを設けた第１の表示手段と、撮影される画像が表示され、ファインダを覗くことによってその画面を見ることのできる第２の表示手段とを備えた撮像装置におけるモード切換え方法であって、
第１の表示手段、タッチパネルを横方向で左領域、中央領域、右領域に三分割してタッチパネルの中央領域を不感帯とし、
第１の表示手段にメニューバーを表示し、
ホームポジションを設けて、ホームポジションをタッチすると、第１の表示手段からメニューバーを消し、または、残したまま、メニューバーを第２の表示手段に縦列に表示し、
タッチパネルの右領域でタッチパネルに指を触れたまま上下方向に指をスライドさせて止めた位置に対応するメニューバーのモードを選択するとともに、そのプルダウンメニューを第２の表示手段に表示し、
タッチパネルの右領域でタッチパネルに指を触れたまま端から中央方向に指を横スライドさせてプルダウンメニューの対応する高さの下位モードを設定してモード変更を行う撮像装置におけるモード切換え方法。
（８）撮影される画像が表示され、その画面表面にタッチパネルを設けた第１の表示手段と、撮影される画像が表示され、ファインダを覗くことによってその画面を見ることのできる第２の表示手段とを備えた撮像装置におけるモード切換え方法であって、
第１の表示手段、タッチパネルを横方向で左領域、中央領域、右領域に三分割してタッチパネルの中央領域を不感帯とし、
第１の表示手段にメニューバーを表示し、
ホームポジションを設けて、ホームポジションをタッチすると、第１の表示手段からメニューバーを消し、または、残したまま、メニューバーを第２の表示手段に縦列に表示し、
タッチパネルの右領域でタッチパネルに指をタッチさせてタッチした高さに対応するモードをメニューバーから選択するとともに、そのプルダウンメニューを第２の表示手段に表示し、
タッチパネルの右領域でタッチパネルに指をタッチさせてタッチした高さに対応する下位モードをプルダウンメニューから設定してモード変更を行う撮像装置におけるモード切換え方法。
（９）被写体を撮影する撮像手段と、
当該撮像装置の背面に設けられた第１の表示手段と、
ファインダに設けられた第２の表示手段と、
上記第１の表示手段に設けられたタッチパネルと、
タッチパネルの第１の位置を不感帯とし、タッチパネルの第２の位置上に設けられたタッチ操作、または、上記タッチパネルの第３の位置上のタッチ位置の変化に従って第２の表示手段における表示と、撮像手段から得られた画像の処理とを切換え制御する制御手段と、
を備える撮像装置。
（１０）第２の位置、第３の位置は第１の位置を挟んでタッチパネル上に設けられた上記（９）記載の撮像装置。
（１１）第２の位置のタッチ操作に従って選択されたモードに関する数値が、第３の位置のタッチ位置変化に対応して変更、設定される上記（９）または（１０）記載の撮像装置。
（１２）撮影される画像を当該撮像装置の背面に表示する第１の表示手段と、
ファインダに設けられて、撮影される画像の表示される第２の表示手段と、
第１の表示手段の画面上に設けられたタッチパネルと、
第１の表示手段、タッチパネルを横方向で左領域、中央領域、右領域に三分割して、タッチパネルの中央付近を不感帯とし、切換えの対象となるモードのメニューバーを第２の表示手段に表示し、タッチパネルの右領域に加えられるタッチ、または、スライドに対応してメニューバーからモードを選択し、選択したモードの下位モードを設定するモード切換えを制御する制御手段と、
を備える撮像装置。
（１３）制御手段は、
切換えの対象となるモードのメニューバーを第１の表示手段の左領域に表示し、
タッチパネルの右領域に加えられるタッチの高さ位置、または、上下方向のスライドの止まった高さ位置に対応してメニューバーからモードを選択し、
選択されたモードが数値調整されるモードであれば、タッチパネルの右領域に加えられる上下方向のスライドの止まった高さ位置に対応した数値のモードに設定し、その設定値を撮影に反映させるように制御している上記（１２）記載の撮像装置。
（１４）タッチパネルにタッチのホームポジションを設け、
制御手段は、
ホームポジションをタッチすると、第１の表示手段からメニューバーを消し、または、残したまま、メニューバーを第２の表示手段に縦列に表示し、
タッチパネルの右領域でタッチパネルに指を触れたまま上下方向に指をスライドさせて止めると、その止めた位置に対応するメニューバーのモードを選択して、そのプルダウンメニューを第２の表示手段に表示し、
タッチパネルの右領域でタッチパネルに指を触れたまま端から中央方向に指を横スライドさせてプルダウンメニューの対応する高さの下位モードを設定するように制御している上記（１２）記載の撮像装置。
（１５）タッチパネルにタッチのホームポジションを設け、
制御手段は、
ホームポジションをタッチすると、第１の表示手段からメニューバーを消し、または、残したまま、メニューバーを第２の表示手段に縦列に表示し、
タッチパネルの右領域でタッチパネルに指をタッチさせると、タッチした高さに対応するモードをメニューバーから選択して、そのプルダウンメニューを第２の表示手段に表示し、
タッチパネルの右領域でタッチパネルに指をタッチさせると、タッチした高さに対応する下位モードをプルダウンメニューから設定するように制御している上記（１３）記載の撮像装置。
そして、本発明の実施態様によって得られる上記構成の発明によれば以下のような効果が得られる。
すなわち、上記（１）記載の本発明では、タッチパネルの右領域のタッチ、または、スライドによるモード切換えであるため、ファインダを覗きながらのブラインドタッチでもモード切換えが行える。
タッチパネルの中央領域を不感帯としているため、ファインダを覗きながらの撮影で鼻がタッチパネルの中央領域に触れてもモード変更に悪影響は生じない。
上記（２）記載の本発明では、スクロールバー上におけるポイントの位置から調整状況を確認しながらモードを設定できる。
上記（３）記載の本発明では、縦スライドでモードを選択し、横スライドで下位モードを設定することによってモード切換えが行える。
上記（４）記載の本発明では、どのモードがモード切換えされてどの下位モードが設定されたかが容易に認識できる。
上記（５）記載の本発明では、第２の表示手段へのメニューバーの表示がタッチポジションのタッチによって容易に行える。
上記（６）記載の本発明では、タッチパネルの右領域のタッチ、スライドによるモード切換えであるため、ファインダを覗きながらのブラインドタッチでもモード切換えが行える。
タッチパネルの中央領域を不感帯としているため、ファインダを覗きながらの撮影において鼻がタッチパネルの中央領域に触れてもモード変更に悪影響は生じない。
数値調整されるモードは、プルダウンメニューをファインダ側の表示手段（第２の表示手段）に表示して数値を調整、設定しており、数値調整されたモードを反映した画像がファインダ側の表示手段に表示されるため、数値調整の効果を確認しながら撮影できる。
上下方向または円を描くようなスライドによって数値が調整されているため、スライドを調整することによって数値を増減でき、数値調整がブラインドタッチにもかかわらず円滑に行える。
上記（７）記載の本発明によれば、ホームポジションのタッチ、上下方向、横方向のスライドによるモード切換えであるため、ファインダを覗きながらのブラインドタッチでもモード切換えが行える。
メニューバー、プルダウンメニューがファインダ側の表示手段に表示されているため、モードを確認しながらモード切換えが行える。
タッチパネルの中央領域を不感帯としているため、ファインダを覗きながらの撮影で鼻がタッチパネルの中央領域に触れてもモード変更に悪影響は生じない。
上記（８）記載の本発明によれば、タッチ操作だけでメニューバーの表示、モードの選択、下位モードの設定がなされるため、ファインダを覗きながらのブラインドタッチでもモード切換えが行える。ここでいうタッチ操作は、狭義のタッチだけでなくスライドも含めた操作をいう。
メニューバー、プルダウンメニューがファインダ側の表示手段に表示されているため、モードを確認しながらモード切換えが行える。
タッチパネルの中央領域を不感帯としているため、ファインダを覗きながらの撮影で鼻がタッチパネルの中央領域に触れてもモード変更に悪影響は生じない。
上記（９）記載の本発明によれば、タッチパネルの右領域のタッチ操作、タッチ位置変化によるモード切換えであるため、ファインダを覗きながらのブラインドタッチでもモード切換えが行える。
タッチパネルに不感帯を設けているため、ファインダを覗きながらの撮影で鼻がタッチパネルの不感帯に触れてもモード変更に悪影響は生じない。
上記（１０）記載の本発明によれば、不感体である第１の位置が、ファインダを覗きながらの撮影中に鼻がタッチしやすいタッチパネルの中央に設けられるため、撮影中に鼻がタッチパネルの中央領域に触れてもモード変更に悪影響は生じない。
上記（１１）記載の本発明によれば、第３の位置変化に対応してモードに関する数値が変更、調整され、数値調整が容易に行える。
上記（１２）記載の本発明では、タッチパネルの右領域のタッチ、スライドによるモード切換えであるため、ファインダを覗きながらのブラインドタッチでもモード切換えが行える。
タッチパネルの中央領域を不感帯としているため、ファインダを覗きながらの撮影で鼻がタッチパネルの中央領域に触れてもモード変更に悪影響は生じない。
数値調整されるモードは、プルダウンメニューをファインダ側の表示手段（第２の表示手段）に表示して数値を調整、設定しており、数値調整されたモードを反映した画像がファインダ側の表示手段に表示されるため、数値調整の効果を確認しながら撮影できる
モード切換えのための機械的なスイッチが省略でき、構成が簡単化できる。外部に突出したスイッチがなくなるため、突起のない美的で簡素化されたデザインの撮像装置が得られる。
上記（１３）記載の本発明によれば、タッチ、スライドの高さ位置に対応してモードを選択して下位モードの数値を設定し、設定されたモードが撮影に反映されているため、数値調整の効果を確認しながら撮影できる。
下位モードの数値設定が上下方向のスライドの高さ位置に対応して行われているため、スライドの高さ位置の調整に対応して下位モードの数値を容易に調整できる。
上記（１４）記載の本発明では、ホームポジションのタッチ、上下方向、横方向のスライドによるモード切換えであるため、ファインダを覗きながらのブラインドタッチのモード切換えが容易に行える。また、メニューバー、プルダウンメニューがファインダ側の表示手段に表示されているため、モードを確認しながらモード切換えが行える。
上記（１５）記載の本発明では、タッチだけでメニューバーの表示、モードの選択、下位モードの設定がなされるため、ファインダを覗きながらのブラインドタッチでもモード切換えが行える。また、メニューバー、プルダウンメニューがファインダ側の表示手段に表示されているため、モードを確認しながらモード切換えが行える。